(57)【要約】【課題】状況に応じた電力制御を行うことにより、電力の消費を低減化することができる携帯電子機器を提供すること。【解決手段】操作キー群１１を有する筐体と、筐体に所定の回転軸を中心に回転可能に取り付けられる回転ダイヤル部４１と、操作キー群１１におけるキー入力を検出するキー入力検出部２０１と、回転ダイヤル部４１における回転を検出する回転量検出部２０２と、キー入力検出部２０１において操作キー群１１におけるキー入力が検出された場合、回転量検出部２０２における検出動作を停止し、回転量検出部２０２において回転ダイヤル部４１における回転が検出された場合、キー入力検出部２０１における検出動作を停止する制御部２０３と、を備える。【選択図】図７
2010109615.tif 000002
【特許請求の範囲】
【請求項１】
キー入力部を有する筐体と、
前記筐体に所定の回転軸を中心に回転可能に取り付けられる回転ダイヤル部と、
前記キー入力部におけるキー入力を検出するキー入力検出部と、
前記回転ダイヤル部における回転を検出する回転量検出部と、
前記キー入力検出部において前記キー入力部におけるキー入力が検出された場合、前記回転量検出部における検出動作を停止し、前記回転量検出部において前記回転ダイヤル部における回転が検出された場合、前記キー入力検出部における検出動作を停止する制御部と、を備えることを特徴とする携帯電子機器。
【請求項２】
前記制御部は、前記キー入力検出部において前記キー入力部におけるキー入力が検出され、前記回転量検出部における検出動作を停止した後、前記キー入力検出部において前記キー入力部におけるキー入力が検出されなくなってから所定時間が経過した場合に、前記回転量検出部における検出動作の停止状態を解除することを特徴とする請求項１に記載の携帯電子機器。
【請求項３】
前記制御部は、前記回転量検出部において前記回転ダイヤル部における回転が検出され、前記キー入力検出部における検出動作を停止した後、前記回転量検出部において前記回転ダイヤル部における回転が検出されなくなってから所定時間が経過した場合に、前記キー入力部における検出動作の停止状態を解除することを特徴とする請求項１又は２に記載の撲帯電子機器。
【請求項４】
キー入力部を有する筐体と、
前記筐体に所定の回転軸を中心に回転可能に取り付けられる回転ダイヤル部と、
前記キー入力部におけるキー入力を検出するキー入力検出部と、
前記回転ダイヤル部における回転を検出する回転量検出部と、
前記キー入力検出部において前記キー入力部におけるキー入力が検出された場合、前記回転量検出部における検出動作を停止し、前記回転量検出部において前記回転ダイヤル部における回転が検出された場合、前記キー入力検出部における検出動作を停止する制御部と、
前記キー入力部と前記回転ダイヤル部との優先度を判定する優先度判定部と、を備え、
前記制御部は、
前記キー入力検出部及び前記回転量検出部のうち、前記優先度判定部により優先度が低いと判定された部位に対応する検出部において、第１の所定時間が経過するまでに入力が検出されなかった場合、当該優先度が低いと判定された部位に対応する検出部の検出動作を停止し、
前記優先度判定部により優先度が高いと判定された部位に対応する検出部において、最後に入力が検出されてから、当該優先度が高いと判定された部位に対応する検出部への入力が検出されないまま第２の所定時間が経過した場合、前記優先度が低いと判定された部位に対応する検出部の検出動作の停止状態を解除することを特徴とする携帯電子機器。
【請求項５】
前記制御部は、前記第２の所定時間が経過し、前記優先度が低いと判定された部位に対する検出部の検出動作の停止状態を解除した後、前記キー入力検出部において前記キー入力部におけるキー入力が検出された場合、前記回転量検出部の検出動作を停止し、前記回転量検出部において前記回転ダイヤル部における回転が検出された場合、前記キー入力検出部の検出動作を停止することを特徴とする請求項４に記載の携帯電子機器。
【請求項６】
前記制御部は、前記キー入力検出部において前記キー入力部におけるキー入力が検出されなくなってから所定時間が経過した場合に、前記回転量検出部における検出動作の停止状態を解除することを特徴とする請求項５に記載の携帯電子機器。
【請求項７】
前記制御部は、前記回転量検出部において前記回転ダイヤル部における回転が検出されなくなってから所定時間が経過した場合に、前記キー入力部における検出動作の停止状態を解除することを特徴とする請求項５又は６に記載の携帯電子機器。
【請求項８】
前記制御部は、前記第１の所定時間を前記第２の所定時間よりも長時間になるように制御することを特徴とする請求項４に記載の携帯電子機器。
【請求項９】
アプリケーションの種類に応じて前記キー入力部と前記回転ダイヤル部のいずれを優先するべきかを決定するテーブルが格納されているテーブル格納部を有し、
前記優先度判定部は、前記テーブル格納部に格納されている前記テーブルを参照して、前記キー入力部と前記回転ダイヤル部との優先度を判定することを特徴とする請求項４に記載の携帯電子機器。
【発明の詳細な説明】
【技術分野】
【０００１】
本発明は、外部操作部を有する携帯電子機器に関する。
【背景技術】
【０００２】
携帯電話機において、より直感的なユーザインターフェースが要求されている。ここで、ヒンジ部を有するフォルダタイプの携帯電話機において、ヒンジ部にボリューム切り替え等に用いる回転ダイヤルを設けたものが知られている（例えば、特許文献１を参照。）。
【０００３】
また、携帯電話機は、通信・通話の機能のみならずテレビやラジオを視聴する機能も搭載されており、多機能化されている。ここで、携帯電話機においては、テレビ視聴機能等の機能が選択されていない場合には、通信・通話の待受画面がトップ画面（フォアグラウンド）として表示される。そして、ユーザが所定の操作を行うことにより、当該待受画面から他の機能を選択するメニュー選択画面に移行するとともに、当該選択メニュー画面においてユーザが所定の操作を行うことにより所望する機能の選択を行うことができる。
【０００４】
また、デジタルカメラに関する技術において、被写体を撮影する際に、そのシーンに最も適した撮影モードを選択するメニュー等を直感的に操作するためにダイヤルキーで行うものが存在する（特許文献２を参照。）。
【特許文献１】特開平６−９０２００号公報
【特許文献２】特開２００１−２４５１８９号公報
【発明の開示】
【発明が解決しようとする課題】
【０００５】
ここで、特許文献１及び特許文献２では、回転ダイヤル（ダイヤルキー）とキー操作部を操作するに際して、状況（例えば、起動されているアプリケーション）に応じた電力消費の低減化を図るような配慮がなされておらず、常に回転ダイヤル（ダイヤルキー）とキー操作部が有効状態（通電状態）になっている。そうすると、例えば、回転ダイヤルの操作を受け付けないような状況下にあっても回転ダイヤルに対して通電が行われており、無駄な電力が消費される。
【０００６】
本発明は、回転ダイヤルキーと操作キーとを備え、状況に応じた電力制御を行うことにより、電力の消費を低減化することができる携帯電子機器を提供することを目的とする。
【課題を解決するための手段】
【０００７】
本発明に係る携帯電子機器は、上記課題を解決するために、キー入力部を有する筐体と、前記筐体に所定の回転軸を中心に回転可能に取り付けられる回転ダイヤル部と、前記キー入力部におけるキー入力を検出するキー入力検出部と、前記回転ダイヤル部における回転を検出する回転量検出部と、前記キー入力検出部において前記キー入力部におけるキー入力が検出された場合、前記回転量検出部における検出動作を停止し、前記回転量検出部において前記回転ダイヤル部における回転が検出された場合、前記キー入力検出部における検出動作を停止する制御部と、を備えることを特徴とする。
【０００８】
また、上記携帯電子機器では、前記制御部は、前記キー入力検出部において前記キー入力部におけるキー入力が検出され、前記回転量検出部における検出動作を停止した後、前記キー入力検出部において前記キー入力部におけるキー入力が検出されなくなってから所定時間が経過した場合に、前記回転量検出部における検出動作の停止状態を解除することが好ましい。
【０００９】
また、上記携帯電子機器では、前記制御部は、前記回転量検出部において前記回転ダイヤル部における回転が検出され、前記キー入力検出部における検出動作を停止した後、前記回転量検出部において前記回転ダイヤル部における回転が検出されなくなってから所定時間が経過した場合に、前記キー入力部における検出動作の停止状態を解除することが好ましい。
【００１０】
また、本発明に係る携帯電子機器は、上記課題を解決するために、キー入力部を有する筐体と、前記筐体に所定の回転軸を中心に回転可能に取り付けられる回転ダイヤル部と、前記キー入力部におけるキー入力を検出するキー入力検出部と、前記回転ダイヤル部における回転を検出する回転量検出部と、前記キー入力検出部において前記キー入力部におけるキー入力が検出された場合、前記回転量検出部における検出動作を停止し、前記回転量検出部において前記回転ダイヤル部における回転が検出された場合、前記キー入力検出部における検出動作を停止する制御部と、前記キー入力部と前記回転ダイヤル部との優先度を判定する優先度判定部と、を備え、前記制御部は、前記キー入力検出部及び前記回転量検出部のうち、前記優先度判定部により優先度が低いと判定された部位に対応する検出部において、第１の所定時間が経過するまでに入力が検出されなかった場合、当該優先度が低いと判定された部位に対応する検出部の検出動作を停止し、前記優先度判定部により優先度が高いと判定された部位に対応する検出部において、最後に入力が検出されてから、当該優先度が高いと判定された部位に対応する検出部への入力が検出されないまま第２の所定時間が経過した場合、前記優先度が低いと判定された部位に対応する検出部の検出動作の停止状態を解除することを特徴とする。
【００１１】
また、上記携帯電子機器では、前記制御部は、前記第２の所定時間が経過し、前記優先度が低いと判定された部位に対する検出部の検出動作の停止状態を解除した後、前記キー入力検出部において前記キー入力部におけるキー入力が検出された場合、前記回転量検出部の検出動作を停止し、前記回転量検出部において前記回転ダイヤル部における回転が検出された場合、前記キー入力検出部の検出動作を停止することが好ましい。
【００１２】
また、上記携帯電子機器では、前記制御部は、前記キー入力検出部において前記キー入力部におけるキー入力が検出されなくなってから所定時間が経過した場合に、前記回転量検出部における検出動作の停止状態を解除することが好ましい。
【００１３】
また、上記携帯電子機器では、前記制御部は、前記回転量検出部において前記回転ダイヤル部における回転が検出されなくなってから所定時間が経過した場合に、前記キー入力部における検出動作の停止状態を解除することが好ましい。
【００１４】
また、上記携帯電子機器では、前記制御部は、前記第１の所定時間を前記第２の所定時間よりも長時間になるように制御することが好ましい。
【００１５】
また、上記携帯電子機器では、アプリケーションの種類に応じて前記キー入力部と前記回転ダイヤル部のいずれを優先するべきかを決定するテーブルが格納されているテーブル格納部を有し、前記優先度判定部は、前記テーブル格納部に格納されている前記テーブルを参照して、前記キー入力部と前記回転ダイヤル部との優先度を判定することが好ましい。
【発明の効果】
【００１６】
本発明によれば、状況に応じた電力制御を行うことにより、電力の消費を低減化することができる。
【発明を実施するための最良の形態】
【００１７】
以下、本発明の実施の形態について説明する。図１は、本発明に係る携帯電子機器の一例である携帯電話機１の外観斜視図を示す。また、図２は、携帯電話機１の閉状態における表示部側筐体部３から見たときの外観図を示す。また、図３は、携帯電話機１の閉状態における操作部側筐体部２から見たときの外観図を示す。また、図４は、外部操作部としての回転ダイヤル部付近の拡大図を示す。また、図５は、回転ダイヤル部の機能を示す図である。なお、以下では、携帯電話機について説明するが、本発明はこれに限定されるものではなく、回転ダイヤル部等の外部操作部を有するものであり、なおかつ複数のアプリケーションを独立して起動可能であれば良く、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１８】
携帯電話機１は、図１に示すように、操作部側筐体部２と、表示部側筐体部３と、を備えて構成される。操作部側筐体部２は、表面部１０に、操作キー群１１と、携帯電話機１の使用者が通話時に発した音声が入力されるマイク１２と、を備えて構成される。操作キー群１１は、機能設定操作ボタン１３と、入力操作ボタン１４と、決定操作ボタン１５と、コントロールボタン１６と、から構成されている。機能設定操作ボタン１３は、各種設定や電話帳機能やメール機能等の各種機能を動作させるためのボタンである。入力操作ボタン１４は、電話番号の数字やメール等の文字等を入力するためのボタンである。決定操作ボタン１５は、各種操作における決定やスクロール等を行うボタンである。コントロールボタン１６は、ボリュームコントロール等を行うボタンである。なお、操作キー群１１は、本実施例では、物理的なキーとして構成されているものとして説明するが、本構成に限られず、例えば、タッチパネル上にソフトウェア的に表示されるキーとして構成されても良い。
【００１９】
また、表示部側筐体部３は、表面部２０に、各種情報を表示するためのディスプレイ２１と、通話の相手側の音声を出力する音声出力部２２と、を備えて構成されている。
【００２０】
また、操作部側筐体部２の上端部と表示部側筐体部３の下端部とは、ヒンジ機構４を介して連結されている。また、携帯電話機１は、ヒンジ機構４を介して連結された操作部側筐体部２と表示部側筐体部３とを相対的に回転することにより、操作部側筐体部２と表示部側筐体部３とが互いに開いた状態（開状態）にしたり、操作部側筐体部２と表示部側筐体部３とが折り畳まれた状態（閉状態）にしたりできる。
【００２１】
なお、図１は、いわゆる折り畳み型の携帯電話機１の形態を示しているが、本発明に係る携帯電話機１の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）や、操作部側筐体部２と表示部側筐体部３とが一つの筐体に配置され連結部を有さない型式（ストレートタイプ）等であっても良い。
【００２２】
また、ヒンジ機構４が形成されている位置には、所定方向に自在に回転するように筐体に取り付けられている外部操作部としての回転ダイヤル部４１を備えている。なお、回転ダイヤル部４１の操作及び機能については後述する。また、外部操作部は、回転ダイヤル部４１以外の構成であっても良く、入力操作、選択操作や決定操作を行うための入力操作ボタン１４や決定操作ボタン１５とは別個に配置されて、筐体の外側に配置されるように構成されていれば良い。
【００２３】
また、携帯電話機１は、図２に示すように、表示部側筐体部３のディスプレイ２１が配置されている裏面側には、所定の情報が表示されるサブディスプレイ２３を備えている。また、携帯電話機１は、図３に示すように、操作部側筐体部２の操作キー群１１が配置されている裏面側には、被写体を撮影するＣＣＤ（Ｃｈａｒｇｅ  Ｃｏｕｐｌｅｄ  Ｄｅｖｉｃｅ）カメラ等により構成される撮影部１７と、一定の光量を出力する発光部１８とを備えている。なお、本実施例においては、閉状態においては、外部から回転ダイヤル部４１に付されている指標は視認できない構成になっているが、これに限られず、視認可能に構成されていても良い。このように視認可能な構成の場合には、閉状態においても、回転ダイヤル部４１を操作することにより、所定の機能を発揮させることができる。
【００２４】
ここで、回転ダイヤル部４１の操作及び機能について説明する。回転ダイヤル部４１は、図４に示すように、ヒンジ機構４の回転軸Ｘに沿って、ユーザの指により所定方向（図２中のａ方向（ヒンジ機構４の回転軸と直交する第１の方向）及びｂ方向（ヒンジ機構４の回転軸と直交する第２の方向））に自在に回転するように筐体に取り付けられている。なお、回転ダイヤル部４１は、図４に示すような構成に限定されず、ユーザの操作によって回転自在な構成であれば良く、回転軸（ヒンジ軸）Ｘと直交する方向の軸に沿って所定方向に自在に回転するような構成等であっても良い。
【００２５】
また、回転ダイヤル部４１には、回転方向において所定の間隔ごとに複数の指標（アイコン）Ｉが付されている。なお、指標Ｉは、例えば、図５に示すように、アプリケーションを選択する際の目印になるようなユーザにとって理解しやすいイメージによって描かれている。
【００２６】
また、図６は、携帯電話機１の機能を示す機能ブロック図である。携帯電話機１は、図６に示すように、表示部として閉状態にて外部に露出しないディスプレイ２１と、閉状態でも外部に露出するサブディスプレイ２３とを備える。さらに、ユーザの操作により回転される回転ダイヤル部４１と、外部の端末と通信を行う通信部６０と、所定の処理を行う処理部７０と、所定容量を有する充電池８０と、充電池８０から供給される電源電圧を所定の電圧に変換し、変換後の電圧を通信部６０や処理部７０等に供給する電源回路部９０と、テーブル１０１を有する記憶部１００と、を備えている。
【００２７】
通信部６０は、所定の使用周波数帯により外部装置と通信を行うメインアンテナ６１と、変調処理又は復調処理等の信号処理を行う通信処理部６２と、を備える。
【００２８】
メインアンテナ６１は、所定の使用周波数帯（例えば、８００ＭＨｚ）で外部装置（基地局）と通信を行う。なお、本実施の形態では、所定の使用周波数帯として、８００ＭＨｚとしたが、これ以外の周波数帯であっても良い。また、メインアンテナ６１は、所定の使用周波数帯の他に、第２の使用周波数帯（例えば、２ＧＨｚ）に対応できる、いわゆるデュアルバンド対応型による構成であっても良いし、さらに、第３の使用周波数帯以上にも対応できる複数バンド対応型により構成されていても良い。
【００２９】
通信処理部６２は、メインアンテナ６１によって受信した信号を復調処理し、処理後の信号を処理部７０に供給し、一方、処理部７０から供給された信号を変調処理し、メインアンテナ６１を介して外部装置（基地局）に送信する。
【００３０】
電源回路部９０は、充電池８０から供給される電源電圧を所定の電圧値に変圧し、変圧後の電源電圧を通信部６０や処理部７０等に供給する。
【００３１】
記憶部１００は、処理部７０にて実行される多数のプログラム及びパラメータや各種テーブル等が記憶される。具体的には、記憶部１００は、処理部７０にて起動、終了、中断等がなされる多数のアプリケーションプログラムや、これら複数のアプリケーションにて使用されるパラメータや、複数のアプリケーションプログラムを動作させるためのＯＳ（Ｏｐｅｒａｔｉｎｇ  Ｓｙｓｔｅｍ）プログラムの他、回転検出部７１にて検出される回転量と複数のアプリケーションとの対応関係（図５を参照。）、さらには閉状態でも起動可能なアプリケーションで有るか否かを示すテーブル１０１を記憶している。なお、複数のアプリケーションプログラムには、基準アプリケーション、画像再生用アプリケーション、カメラ、メール等の携帯電話機１が有するアプリケーションごとのアプリケーションプログラムが含まれる。
【００３２】
処理部７０は、詳細は後述する回転量検出部２０２から供給される回転ダイヤル部４１の回転量に応じて各種アプリケーションの起動処理を行うアプリケーション起動部７０ａを有する。具体的には、アプリケーション起動部７０ａは、回転ダイヤル部４１の回転量に応じた所定のアプリケーションを起動し、当該起動した所定のアプリケーションに対応する表示画面をディスプレイ２１に表示するように制御する。
【００３３】
ここで、ユーザによる回転ダイヤル部４１の操作に応じたアプリケーション起動部７０ａの動作について簡略的に説明する。ユーザは、当該指標Ｉを手掛かりとして、所望するアプリケーションに対応する指標Ｉをヒンジ機構４のケース外面にマーク等で示されている選択位置（目印）Ｓまで回転させる。アプリケーション起動部７０ａは、選択位置Ｓ（目印）に静止している指標Ｉに対応するアプリケーションを起動させる。
【００３４】
例えば、アプリケーション起動部７０ａは、図５に示すように、ユーザの回転操作によって、無操作時（ニュートラル（Ｎ））を基準として回転ダイヤル部４１が、ａ方向に４５°（ｂ方向に３１５°）回転されることにより、撮影部１７のカメラ機能を起動し、ａ方向に９０°（ｂ方向に２７０°）回転されることにより、メールの機能を起動する。また、アプリケーション起動部７０ａは、無操作時（（Ｎ））を基準として回転ダイヤル部４１が、ａ方向に１３５°（ｂ方向に２２５°）回転されることにより、カレンダー機能を起動し、ａ方向に１８０°（ｂ方向に１８０°）回転されることにより、ツールメニュー（携帯電話機１における音出力等に関する各種の設定を行うメニュー）を起動する。また、アプリケーション起動部７０ａは、無操作時（（Ｎ））を基準として回転ダイヤル部４１が、ａ方向に２２５°（ｂ方向に１３５°）回転されることにより、テレビ機能を起動し、ａ方向に２７０°（ｂ方向に９０°）回転されることにより、データフォルダを起動し、ａ方向に３１５°（ｂ方向に４５°）回転されることにより、アドレス帳を起動する。
【００３５】
なお、上述した回転ダイヤル部４１の回転角度に応じて割り当てられているメニューは一例であって、これに限定されることは無く、例えば、ユーザ自身が頻繁に使用するメニューを登録可能な構成であっても良いし、また、所望のＷｅｂアドレスを登録しておき、当該Ｗｅｂアドレスを回転ダイヤル部４１により選択することによって、Ｗｅｂブラウザが起動して当該ＷｅｂアドレスのＷｅｂページを閲覧できるような構成であっても良い。また、メニューの数も上述した数（７つ）に限定されるものではない。
【００３６】
また、ユーザは、回転ダイヤル部４１を直接操作することにより、一定条件下において、回転ダイヤル部４１に割り当てられている各種機能を直接的に起動させることができ、従来のようにメインメニューを経由する必要がなく、簡易に所望するアプリケーションを起動することができる。
【００３７】
このように構成される携帯電話機１では、アプリケーションの選択が可能な操作キー群１１と回転ダイヤル部４１とを備え、状況に応じた電力制御を行うことにより、電力の消費を低減化する機能を有している。
【００３８】
＜第１の実施例＞
ここで、当該機能を発揮するための第１の実施例としての処理部７０の構成と動作について詳細に説明する。処理部７０は、図７に示すように、アプリケーション起動部７０ａと、キー入力検出部２０１と、回転量検出部２０２と、制御部２０３とを備える。なお、アプリケーション起動部７０ａの動作については上述と同様である。
【００３９】
キー入力検出部２０１は、操作キー群１１（キー入力部）におけるキー入力を検出する。回転量検出部２０２は、回転ダイヤル部４１における回転を検出する。なお、本実施例では、回転量検出部２０２は、回転ダイヤル部４１の角度の変化量を回転量として検出する構成であるが、本構成に限られず、回転ダイヤル部４１の回転に応じた変化を検出できれば良く、例えば、抵抗率の変化等を回転量として検出する構成であっても良い。または、回転ダイヤル部４１の回転位置（又は回転角度）を検出し、検出された回転位置に応じて制御する構成であっても良い。
【００４０】
制御部２０３は、キー入力検出部２０１において操作キー群１１におけるキー入力が検出された場合、回転量検出部２０２における検出動作を停止、すなわち回転量検出部２０２に対する電源の供給を遮断し、また、回転量検出部２０２において回転ダイヤル部４１における回転が検出された場合、キー入力検出部２０１における検出動作を停止、すなわちキー入力検出部２０１に対する電源の供給を遮断する。
【００４１】
このように構成されることにより、携帯電話機１は、キー入力検出部２０１又は回転量検出部２０２のいずれか一方がデバイス（操作キー群１１又は回転ダイヤル部４１）の入力を検出した場合、入力を検出しなかった検出部に対して電力の供給を遮断するので、使用状況に応じた電力制御を行うことができ、電力の消費を低減化することができる。
【００４２】
また、制御部２０３は、キー入力検出部２０１において操作キー群１１におけるキー入力が検出され、回転量検出部２０２における検出動作を停止、すなわち回転量検出部２０２に対する電源の供給を遮断した後、キー入力検出部２０１において操作キー群１１におけるキー入力が検出されなくなってから所定時間が経過した場合に、回転量検出部２０２における検出動作の停止状態を解除する、すなわち回転量検出部２０２に対する電源の供給を再開する構成であることが好ましい。
【００４３】
例えば、制御部２０３は、キー入力検出部２０１と回転量検出部２０２に対して使用状況に応じて、図８に示すように、ＯＮ状態（電源が供給される状態）とＯＦＦ状態（電源の供給が停止される状態）の切り替えを制御する。なお、図８は、操作キー群１１による入力が回転ダイヤル部４１による入力よりも優先されることを前提条件にしている。
【００４４】
制御部２０３は、初期状態として、キー入力検出部２０１をＯＮ状態に切り替え、回転量検出部２０２をＯＦＦ状態に切り替える（状態Ａ）。そして、制御部２０３は、キー入力検出部２０１において操作キー群１１におけるキー入力が検出された場合、状態Ａを維持する（状態Ｂ）。また、制御部２０３は、状態Ｂの後、キー入力検出部２０１におけるキー入力の検出が所定時間行われない場合には、回転ダイヤル部４１による入力を想定し、キー入力検出部２０１をＯＮ状態のまま維持し、かつ回転量検出部２０２もＯＮ状態に切り替える（状態Ｃ）。
【００４５】
また、制御部２０３は、キー入力検出部２０１において操作キー群１１におけるキー入力が検出された場合、キー入力検出部２０１をＯＮ状態のまま維持し、回転量検出部２０２をＯＦＦ状態に切り替える（状態Ｄ）。そして、制御部２０３は、キー入力検出部２０１におけるキー入力の検出が所定時間行われない場合には、回転ダイヤル部４１による入力を想定し、キー入力検出部２０１をＯＮ状態のまま維持し、かつ回転量検出部２０２もＯＮ状態に切り替える（状態Ｅ）。そして、制御部２０３は、キー入力検出部２０１及び回転量検出部２０２のいずれからも入力が検出されない状態が所定時間経過した場合、キー入力検出部２０１をＯＮ状態のまま維持し、かつ回転量検出部２０２をＯＦＦ状態に切り替える（状態Ｆ）。
【００４６】
したがって、携帯電話機１は、状態Ａ、状態Ｂ，状態Ｄ及び状態Ｆにおいて、回転量検出部２０２への電源の供給を制限するので、その分だけ消費電力を低減することができる。なお、上述では、操作キー群１１による入力が回転ダイヤル部４１による入力よりも優先されることを前提条件にしているが、これに限られず、回転ダイヤル部４１による入力が操作キー群１１による入力よりも優先されても良い。
【００４７】
また、制御部２０３は、キー入力検出部２０１及び回転量検出部２０２の双方ともＯＮ状態のとき（状態Ｃ及び状態Ｅのとき）において、回転ダイヤル部４１が操作されたときには、操作キー群１１による操作を受け付けないように制御し、また、操作キー群１１が操作されたときには、回転ダイヤル部４１による操作を受け付けないように制御する。以下に、制御部２０３による処理の流れについて図９に示すフローチャートを参照しながら説明する。
【００４８】
ステップＳＴ１において、制御部２０３は、所定時間以内において、キー入力検出部２０１において操作キー群１１におけるキー入力を検出したかどうかを判断する。キー入力を検出したと判断した場合（Ｙｅｓ）には、ステップＳＴ２に進み、キー入力を検出しないと判断した場合（Ｎｏ）には、ステップＳＴ３に進む。
【００４９】
ステップＳＴ２において、制御部２０３は、回転量検出部２０２における検出機能をＯＦＦ、すなわち回転量検出部２０２に対する電源の供給を遮断する。
【００５０】
ステップＳＴ３において、制御部２０３は、所定時間、回転量検出部２０２における検出機能をＯＮ状態に維持する。すなわち、キー入力検出部２０１及び回転量検出部２０２の双方ともＯＮ状態になっている。
【００５１】
ステップＳＴ４において、制御部２０３は、所定時間以内において、回転量検出部２０２において回転ダイヤル部４１における回転を検出したかどうかを判断する。回転を検出したと判断した場合（Ｙｅｓ）には、ステップＳＴ５に進み、回転を検出しないと判断した場合（Ｎｏ）には、ステップＳＴ６に進む。
【００５２】
ステップＳＴ５において、制御部２０３は、キー入力検出部２０１おける検出機能をＯＦＦ、すなわちキー入力検出部２０１に対する電源の供給を遮断する。
【００５３】
ステップＳＴ６において、制御部２０３は、所定時間、キー入力検出部２０１における検出機能をＯＮ状態に維持する。すなわち、キー入力検出部２０１及び回転量検出部２０２の双方ともＯＮ状態になっている。
【００５４】
また、制御部２０３は、回転量検出部２０２において回転ダイヤル部４１における回転が検出され、キー入力検出部２０１における検出動作を停止、すなわちキー入力検出部２０１に対する電源の供給を遮断した後、回転量検出部２０２において回転ダイヤル部４１における回転が検出されなくなってから所定時間が経過した場合に、操作キー群１１における検出動作の停止状態を解除する、すなわち回転量検出部２０２に対する電源の供給を再開する構成であっても良い。
【００５５】
このような構成においても、携帯電話機１は、使用状況に応じて、キー入力検出部２０１又は回転量検出部２０２への電源の供給を制限するので、消費電力を低減することができる。
【００５６】
＜第２の実施例＞
つぎに、本発明に係る機能を発揮するための第２の実施例としての処理部７０の構成と動作について詳細に説明する。なお、第１の実施例と同様の要部には、同一の番号を付す。処理部７０は、図１０に示すように、キー入力検出部２０１と、回転量検出部２０２と、制御部２０３と、優先度判定部２０４と、を備える。また、処理部７０は、詳細は後述するテーブル格納部２０５を備える。
【００５７】
キー入力検出部２０１は、操作キー群１１におけるキー入力を検出する。回転量検出部２０２は、回転ダイヤル部４１における回転を検出する。制御部２０３は、キー入力検出部２０１において操作キー群１１におけるキー入力が検出された場合、回転量検出部２０２における検出動作を停止、すなわち回転量検出部２０２に対する電源の供給を遮断し、回転量検出部２０２において回転ダイヤル部４１における回転が検出された場合、キー入力検出部２０１における検出動作を停止、すなわちキー入力検出部２０１に対する電源の供給を遮断する。また、優先度判定部２０４は、操作キー群１１と回転ダイヤル部４１との優先度を判定する。
【００５８】
このような構成において、制御部２０３は、キー入力検出部２０１及び回転量検出部２０２のうち、優先度判定部２０４により優先度が低いと判定された部位に対応する検出部において、第１の所定時間が経過するまでに入力が検出されなかった場合、当該優先度が低いと判定された部位に対応する検出部の検出動作を停止、すなわち当該検出部に対する電源の供給を遮断する。また、制御部２０３は、キー入力検出部２０１及び回転量検出部２０２のうち、優先度判定部２０４により優先度が高いと判定された部位に対応する検出部において、最後に入力が検出されてから、当該優先度が高いと判定された部位に対応する検出部への入力が検出されないまま第２の所定時間が経過した場合、優先度が低いと判定された部位に対応する検出部の検出動作の停止状態を解除、すなわち当該検出部に対する電源の供給を再開する。
【００５９】
したがって、携帯電話機１は、優先度の低い検出部に対して電源の供給を遮断し、その後、優先度の高い検出部による検出の状況に応じて、電源の供給を再開するので、電源の遮断の対象となった検出部を使用したいときには使用可能なように電源が供給され、また、当該検出部を使用しないときには電源の供給が遮断され、全体として電力の消費を低減することができる。
【００６０】
また、制御部２０３は、第２の所定時間が経過し、優先度が低いと判定された部位に対する検出部の検出動作の停止状態を解除した後、すなわちキー入力検出部２０１及び回転量検出部２０２の双方ともＯＮ状態のときに、キー入力検出部２０１において操作キー群１１におけるキー入力が検出された場合、回転量検出部２０２の検出動作を停止し、回転量検出部２０２において回転ダイヤル部４１における回転が検出された場合、キー入力検出部２０１の検出動作を停止する構成であることが好ましい。
【００６１】
したがって、携帯電話機１は、電源の遮断の対象となった検出部を使用したいときには使用可能なように電源が供給され、また、当該検出部を使用しないときには電源の供給が遮断され、全体として電力の消費を低減することができる。
【００６２】
また、制御部２０３は、キー入力検出部２０１において操作キー群１１におけるキー入力が検出されなくなってから所定時間が経過した場合に、回転量検出部２０２における検出動作の停止状態を解除する構成であることが好ましい。
【００６３】
したがって、携帯電話機１は、キー入力検出部２０１における検出状況に応じて、回転量検出部２０２に対する電源の供給を再開するか否かを決定するので、電源の遮断の対象となった回転量検出部２０２を使用したいときには使用可能なように電源が供給され、また、回転量検出部２０２を使用しないときには電源の供給が遮断され、全体として電力の消費を低減することができる。
【００６４】
また、制御部２０３は、回転量検出部２０２において回転ダイヤル部４１における回転が検出されなくなってから所定時間が経過した場合に、操作キー群１１における検出動作の停止状態を解除する構成であることが好ましい。
【００６５】
したがって、携帯電話機１は、回転量検出部２０２における検出状況に応じて、キー入力検出部２０１に対する電源の供給を再開するか否かを決定するので、電源の遮断の対象となったキー入力検出部２０１を使用したいときには使用可能なように電源が供給され、また、キー入力検出部２０１を使用しないときには電源の供給が遮断され、全体として電力の消費を低減することができる。
【００６６】
また、制御部２０３は、第１の所定時間を第２の所定時間よりも長時間になるように制御する構成であることが好ましい。
【００６７】
したがって、携帯電話機１は、優先度が低い検出部に対する電源の遮断状態を長く取ることができ、電力の消費を低減することができる。
【００６８】
また、処理部７０は、図１０に示すように、アプリケーションの種類に応じて操作キー群１１と回転ダイヤル部４１のいずれを優先するべきかを決定するテーブルが格納されているテーブル格納部２０５を備える。このように構成される場合には、優先度判定部２０４は、テーブル格納部２０５に格納されているテーブルを参照して、操作キー群１１と回転ダイヤル部４１との優先度を判定する。
【００６９】
ここで、優先度を決定するテーブルの一例について図１１を参照しながら説明する。テーブル格納部２０５に格納されるテーブルは、図１１に示すように、筐体が開状態（オープン）であるか閉状態（クローズ）であるか、及び現在起動中の機能（アプリケーション）の種類によって優先検出機能の設定が異なっている。テーブルでは、例えば、筐体が開状態（オープン）のときであって、待受アプリのみが起動されている状態においては、回転ダイヤル部４１の検出を優先し、また、筐体が開状態であって、Ｗｅｂブラウザが機能している状態においては、操作キー群１１の検出を優先するように設定されている。なお、本実施例においては、筐体が閉状態においては、図２及び図３に示すように、回転ダイヤル部４１が使用できない形状であり、サイドキー（不図示であるが、筐体の側面に配置されており、操作キー群１１の一部である）の使用が可能である。また、筐体が閉状態においても回転ダイヤル部４１の使用が可能な形状の場合には、閉状態においても回転ダイヤル部４１が優先されるように設定しても良い。
【００７０】
したがって、携帯電話機１は、テーブル格納部２０５に格納されているテーブルにしたがって、優先度を決定するので、より的確に電力の低減化を図ることができる。
【００７１】
ここで、処理部７０が優先度に基づいて、キー入力検出部２０１と回転量検出部２０２に対する電力の供給を制御する方法について、図１２に示すフローチャートを参照しながら説明する。
【００７２】
ステップＳＴ１１において、処理部７０は、機能が切り替わったか否かを判断する。機能が切り替わったと判断した場合（Ｙｅｓ）には、ステップＳＴ１２に進み、機能が切り替わっていないと判断した場合（Ｎｏ）には、ステップＳＴ１４に進む。なお、本工程では、例えば、待受状態からブラウザやメールに機能が切り替わったか否かが判断される。
【００７３】
ステップＳＴ１２において、処理部７０は、優先設定に基づく検出機能のＯＮ状態とＯＦＦ状態を制御する。本工程では、例えば、図１１に示すテーブルを参照して検出機能のＯＮ状態とＯＦＦ状態を制御する。
【００７４】
ステップＳＴ１３において、処理部７０は、無操作を監視しているタイマのカウンタをクリアする。
【００７５】
ステップＳＴ１４において、処理部７０は、キー入力検出部２０１において操作キー群１１におけるキー入力を検出したかどうかを判断する。キー入力を検出したと判断した場合（Ｙｅｓ）には、ステップＳＴ１５に進み、キー入力を検出しないと判断した場合（Ｎｏ）には、ステップＳＴ１６に進む。
【００７６】
ステップＳＴ１５において、処理部７０は、回転量検出部２０２における検出機能をＯＦＦ状態、すなわち回転量検出部２０２に対する電源の供給を遮断する。その後、ステップＳＴ１８へ進む。
【００７７】
また、ステップＳＴ１６において、処理部７０は、回転量検出部２０２において回転ダイヤル部４１における回転を検出したかどうかを判断する。回転を検出したと判断した場合（Ｙｅｓ）には、ステップＳＴ１７に進み、回転を検出しないと判断した場合（Ｎｏ）には、ステップＳＴ１９に進む。
【００７８】
ステップＳＴ１７において、処理部７０は、キー入力検出部２０１おける検出機能をＯＦＦ状態、すなわちキー入力検出部２０１に対する電源の供給を遮断する。
【００７９】
ステップＳＴ１８において、処理部７０は、無操作を監視しているタイマのカウントをクリアする。
【００８０】
ステップＳＴ１９において、処理部７０は、実行機能が回転量検出部２０２における検出機能、又はキー入力検出部２０１における検出機能に優先設定されているか否かを判断する。実行機能が優先設定されていると判断した場合（Ｙｅｓ）には、ステップＳＴ２０に進み、実行機能が優先設定されていないと判断した場合（Ｎｏ）には、ステップＳＴ２６に進む。
【００８１】
ステップＳＴ２０において、処理部７０は、無操作を監視しているタイマのカウントをアップする。
【００８２】
ステップＳＴ２１において、処理部７０は、ステップＳＴ２０の工程でカウントをアップしたタイマが所定時間に達したか否かを判断する。タイマが所定時間に達したと判断した場合には、ステップＳＴ２２に進み、タイマが所定時間に達していないと判断した場合には、ステップＳＴ２６に進む。
【００８３】
ステップＳＴ２２において、処理部７０は、無操作を監視しているタイマのカウントをクリアする。
【００８４】
ステップＳＴ２３において、処理部７０は、実行機能の優先設定がなされているのは、キー入力検出部２０１における検出機能か否かを判断する。優先設定がなされているのがキー入力検出部２０１における検出機能であると判断した場合（Ｙｅｓ）には、ステップＳＴ２４に進み、優先設定がなされているのがキー入力検出部２０１における検出機能ではない場合（Ｎｏ）、すなわち優先設定がなされているのは回転量検出部２０２における検出機能である場合には、ステップＳＴ２５に進む。
【００８５】
ステップＳＴ２４において、処理部７０は、回転量検出部２０２における検出機能をＯＦＦ状態、すなわち回転量検出部２０２に対する電源の供給を遮断する。その後、ステップＳＴ１１へ戻る。
【００８６】
ステップＳＴ２５において、処理部７０は、キー入力検出部２０１おける検出機能をＯＦＦ状態、すなわちキー入力検出部２０１に対する電源の供給を遮断する。その後、ステップＳＴ１１へ戻る。
【００８７】
また、ステップＳＴ２６において、処理部７０は、キー入力検出部２０１おける検出機能がＯＦＦ状態であるか否かを判断する。キー入力検出部２０１おける検出機能がＯＦＦ状態であると判断した場合（Ｙｅｓ）には、ステップＳＴ２７に進み、キー入力検出部２０１おける検出機能がＯＦＦ状態ではない判断した場合（Ｎｏ）には、ステップＳＴ２８に進む。
【００８８】
ステップＳＴ２７において、処理部７０は、キー入力検出部２０１おける検出機能をＯＮ状態、すなわちキー入力検出部２０１に対する電源の供給を再開する。
【００８９】
ステップＳＴ２８において、処理部７０は、回転量検出部２０２おける検出機能がＯＦＦ状態であるか否かを判断する。回転量検出部２０２おける検出機能がＯＦＦ状態であると判断した場合（Ｙｅｓ）には、ステップＳＴ２９に進み、回転量検出部２０２おける検出機能がＯＦＦ状態ではない判断した場合（Ｎｏ）には、ステップＳＴ１１に戻る。
【００９０】
ステップＳＴ２９において、処理部７０は、回転量検出部２０２おける検出機能をＯＮ状態、すなわち回転量検出部２０２に対する電源の供給を再開する。
【００９１】
このように構成されることにより、携帯電話機１は、キー入力検出部２０１又は回転量検出部２０２のいずれか一方がデバイス（操作キー群１１又は回転ダイヤル部４１）の入力を検出した場合、入力を検出しなかった検出部に対して電力の供給を遮断するので、使用状況に応じた電力制御を行うことができ、電力の消費を低減化することができる。
【図面の簡単な説明】
【００９２】
【図１】本発明に係る携帯電話機の外観を示す図である。
【図２】携帯電話機の閉状態における表示部側筐体部から見たときの外観を示す図である。
【図３】携帯電話機の閉状態における操作部側筐体部から見たときの外観を示す図である。
【図４】回転ダイヤル部付近を拡大したときの図である。
【図５】回転ダイヤル部の機能についての説明に供する図である。
【図６】携帯電話機の機能を示す機能ブロック図である。
【図７】処理部の第１の構成を示す機能ブロック図である。
【図８】キー入力検出部と回転量検出部に対して使用状況に応じて、ＯＮ状態とＯＦＦ状態とを切り替え制御についての説明に供する図である。
【図９】制御部による処理の流れについての説明に供するフローチャートである。
【図１０】処理部の第２の構成を示す機能ブロック図である。
【図１１】優先度を決定するテーブルの一例を示す模式図である。
【図１２】優先度に基づいて、キー入力検出部と回転量検出部に対する電力の供給を制御する方法についての説明に供するフローチャートである。
【符号の説明】
【００９３】
１  携帯電話機
１１  操作キー群
４１  回転ダイヤル部
７０  処理部
７０ａ  アプリケーション起動部
２０１  キー入力検出部
２０２  回転量検出部
２０３  制御部
２０４  優先度判定部
２０５  テーブル格納部
【図１】
2010109615.tif 000003
【図２】
2010109615.tif 000004
【図３】
2010109615.tif 000005
【図４】
2010109615.tif 000006
【図５】
2010109615.tif 000007
【図６】
2010109615.tif 000008
【図７】
2010109615.tif 000009
【図８】
2010109615.tif 000010
【図９】
2010109615.tif 000011
【図１０】
2010109615.tif 000012
【図１１】
2010109615.tif 000013
【図１２】
2010109615.tif 000014